【事件の表示】
　平成　５年特許願第　５４１６４号「遠隔監視制御システムの表示操作端末器」拒絶査定に対する審判事件［平成　６年　９月２２日出願公開、特開平　６−２６９０７０］について、次のとおり審決する。
【結　論】
　本件審判の請求は、成り立たない。
【理　由】
１．手続の経緯、本願発明
　
　本願は、平成５年３月１５日の出願であって、請求項１に係る発明（以下、「本願発明」という。）は、平成１４年３月１８日付けの手続補正により補正された明細書及び図面の記載からみて、その特許請求の範囲の請求項１に記載された次の事項により特定されるものと認める。
　
　「伝送ユニットと、複数のスイッチ用端末器及び負荷制御用端末器とを２線の信号線を介して接続し、伝送ユニットから多重伝送信号を伝送して端末器をアクセスし、負荷制御用端末器には対応するスイッチ用端末器に接続された操作スイッチの操作データに基づく負荷の制御データを与え、スイッチ用端末器に対しては接続された操作スイッチの操作データを多重伝送信号に設けた返信待機期間中に監視データとして伝送ユニットへ返信させる遠隔監視制御システムに用いられ、信号線を通じて伝送ユニットに対する返信信号の送信及び伝送ユニットからの多重伝送信号の受信を行う送受信信号処理手段と、ディスプレイに負荷のレイアウト地図とこのレイアウト地図上の負荷に対応したタッチスイッチからなる操作スイッチの位置とを表示する地図表示機能、ディスプレイに遠隔監視制御に対応する諸元データの設定の為の画面とこの画面上の適所に設定に必要なタッチスイッチからなる操作スイッチを画面上の適所に表示する設定画面表示機能を少なくとも有し、伝送ユニットから多重伝送信号により送られてくる負荷状態を表示するための制御データを送受信信号処理手段を通じて通じて受け取った際には、ディスプレイで表示されているレイアウト地図上に負荷状態を表示し、負荷操作のための操作スイッチの操作データや諸元データの設定のための操作スイッチの操作データがあれば送受信処理手段に返信用のデータとして与えて送受信処理手段より伝送ユニットへ送信させる表示操作処理手段とを備えた遠隔監視制御システムの表示操作端末器であって、
　上記表示操作処理手段には、送受信信号処理手段で受信されて抽出された時分割多重伝送信号に含まれるデータを取り込んでディスプレィの表示制御のためのデータとしてデュアルポートＲＡＭに書き込む機能とデュアルポートＲＡＭに書き込まれたタッチスイッチからなる操作スイッチの操作データを読み取り、伝送ユニットへ返信するために送受信信号処理手段へ送り出す機能とを備えていることを特徴とする遠隔監視制御システムの表示操作端末器。」
　
２．引用例記載の発明
　
　これに対して、原査定の拒絶理由に引用された特開平０４−０５６５９５号公報（平成４年２月２４日出願公開、以下、「引用例１」という。）には、次のような記載がある。
　
イ）「従来より、この種の遠隔監視制御システムとして、第６図に示すように、監視用の端末器３２、制御用の端末器３３…などの端末器と中央制御装置３１とを、一対の線路よりなる信号線ｌｓを介して接続した構成のものが知られている。監視用の端末器３２には監視入力として壁スイッチ等のスイッチＳ１〜Ｓ４が接続され、制御用の端末器３３には制御出力として照明器具等の負荷Ｌ１〜Ｌ４が接続される。中央制御装置３１から信号線ｌｓに送出される伝送信号Ｖｓは、第７図（ａ）に示すように…各端末器３２〜３６を呼び出す８ビットのアドレスデータを伝送するアドレスデータ信号ＡＤ、負荷Ｌ１〜Ｌ４を制御する制御データを伝送する制御データ信号ＣＤ…各端末器３２〜３６からの信号の返送期間を設定する信号返送期間ＷＴよりなる複極（±２４Ｖ）の時分割多重信号であり、パルス幅変調によってデータが伝送されるようになっている。各端末器３２〜３６では、信号線ｌｓを介して受信された伝送信号Ｖｓのアドレスデータと端末器３２、３６に設定されたアドレスデータとが一致したときに、その伝送信号Ｖｓの制御データを取り込むとともに、伝送信号Ｖｓの信号返送期間ＷＴに同期して監視データ信号を電流モード信号（信号線ｌｓの両線路間を適当な低インピーダンスを介して短絡して送出される信号）として返送する。」（公報２頁左上欄５行〜右上欄１４行）
　
ロ）「中央制御装置３１では、端末器３２、３４〜３６から中央制御装置３１に返送された監視データに基づいて、対応関係が設定されている負荷Ｌ１〜Ｌ４を制御する制御用の端末器３３への制御データを作成し、信号線ｌｓを介して制御用の端末器３３に制御データを時分割多重伝送して負荷Ｌ１〜Ｌ４を制御する。また、制御用の端末器３３に接続された負荷Ｌ１〜Ｌ４の動作状態が変化すると、制御用の端末器３３は信号線ｌｓを介して中央制御装置３１に負荷Ｌ１〜Ｌ４の動作状態に関する監視データを返送し、中央制御装置３１では受信した監視データに基づいて対応する監視用の端末器３２に信号線ｌｓを介して制御データを時分割多重伝送し、監視用の端末器３２に接続されているスイッチＳ１〜Ｓ４に設けてある発光ダイオードよりなる表示部（図示せず）の表示状態を変化させるようになっている（たとえば、負荷がオンであれば赤で表示し、オフであれば緑色で表示する。）」（公報２頁左下欄３行〜右下欄１行）
　
ハ）「造営物の各所の配置を示すマップ上に負荷の位置に対応させた動作表示手段を設けて、負荷Ｌ１〜Ｌ４の動作状態を表示するようにしたマップ表示用の端末器（たとえば、特願平１−１０５１０２号等）が提案されている。
　すなわち、第８図に示すように、マップ表示用の端末器１０を監視用の端末器３２の一種として別途に設けるのである。マップ表示用の端末器１０は、端末器としての基本機能を集積回路などによってまとめた端末処理部１１、端末処理部１１を信号線ｌｓに接続する送受信部１２を、他の端末器と同様に備えている。また、マップ表示用の端末器１０は、マップ上で負荷Ｌ１〜Ｌ４の位置に対応するように配置された個別表示部を有し対応する負荷Ｌ１〜Ｌ４の動作状態を表示する動作表示手段１３と、マップ上で負荷Ｌ１〜Ｌ４の位置に対応するように配置された個別操作部を有し対応する負荷Ｌ１〜Ｌ４の動作状態を操作する操作入力手段１４と、各個別操作部にそれぞれアドレスを割り付けるアドレステーブルが格納されたアドレス記憶手段１５とを備えている。すなわち、操作入力手段１４の各個別操作部を操作すると、アドレス記憶手段１５の中のアドレステーブルを参照して操作された個別操作部に対応するアドレスデータをマップ表示用の端末器１０から送出するのであり、このアドレスデータに対応する制御用の端末器３３に設けた負荷Ｌ１〜Ｌ４が制御されるのである。また、負荷Ｌ１〜Ｌ４の動作状態が動作表示手段１３に表示される。」（公報３頁右上欄１０行〜左下欄１８行）
　
ニ）「第１図は本発明に用いるマップ表示用の端末器１０のブロック図である。端末処理部１１、送受信部１２、動作表示手段１３、操作入力手段１４、アドレス記憶手段１５…については、第８図に示した従来構成と同じである。動作表示手段１３は、第２図に示すように、発光ダイオードである多数の個別表示部２１よりなり、操作入力手段１４は、押釦スイッチである多数の個別操作部２２よりなる。各個別表示部２１はそれぞれ個別操作部２２に対応して配置され、負荷のオン、オフに対応する２状態が表示できるようになっている（点滅、２色発光など）。…
　マップ表示用の端末器１０には、さらに、モード切換手段１８、パターン操作手段１９、パターン記憶手段２０が設けられている。モード切換手段１８は、パターン制御データを設定する設定モードと、負荷を制御する制御モードとを切り換えるスイッチである。パターン操作手段１９は、押釦スイッチなどよりなる複数のパターン操作部２３を備え、たとえば、就寝時、起床時、外出時などに各パターン操作部２３を対応させるようにしてある。パターン操作部２３には発光ダイオードである表示部２４が対応して配置され、負荷のオン、オフに対応する２状態が表示できるようになっている。」（公報４頁右上欄１１行〜左下欄２０行）
　
ホ）「個別操作部２２が操作されると、その個別操作部２２に対応するアドレスデータがアドレス記憶手段１５から読み出され、同じアドレスを有する監視用の端末器３２に接続されているスイッチＳ１〜Ｓ４が操作された場合と同様に、信号線ｌｓを介して中央制御装置３１に監視データを送り、中央制御装置３１では、その監視データに基づいて対応する負荷Ｌ１〜Ｌ４を制御する制御用の端末器３３に制御データを時分割多重伝送して負荷Ｌ１〜Ｌ４を制御する。」（公報５頁左上欄６〜１５行）
　
ヘ）「モード切換手段１８を切り換えると、アドレスをパターン制御データを設定する設定モードになる。設定モードでは、パターン制御データを割り付けるべきパターン操作部２４を選択し、次に、一括して制御したい負荷Ｌ１〜Ｌ４に対応してマップ上に配置された個別操作部２２を操作する。操作された個別操作部２２は、対応するアドレスデータをアドレス記憶手段１５から読み出し、そのアドレスデータをパターン記憶手段２０に格納する。…　上記実施例では、マップ表示用の端末器１０におけるパターン操作部２４を操作したときに、複数の負荷Ｌ１〜Ｌ４が一括制御されるようにしているが、マップ表示用の端末器１０で設定したパターン制御データを、中央制御装置３１に転送して記憶させ、中央制御装置３１に設けたパターン操作用のスイッチや、監視用の端末器３２に設けたパターン操作用のスイッチを操作したときに、中央制御装置３１に記憶されているパターン制御データを用いて負荷Ｌ１〜Ｌ４を一括制御するようにしてもよい。」（公報５頁右上欄６行〜左下欄１８行）
　
　これらの記載によれば、引用例１には、次の発明（以下、「引用例１記載の発明」という。）が記載されているものと認められる。
　
　「中央制御装置３１と、複数の監視用の端末器３２及び照明器具等の負荷Ｌ１〜Ｌ４が接続される制御用の端末器３３とを一対の線路よりなる信号線ｌｓを介して接続し、中央制御装置３１から時分割多重信号である伝送信号Ｖｓを伝送して端末器をアクセスし、制御用の端末器３３には対応する監視用の端末器３２に監視入力として接続された壁スイッチ等のスイッチＳ１〜Ｓ４の監視データに基づく負荷の制御データを与え、監視用の端末器３２に対しては接続されたスイッチＳ１〜Ｓ４の監視データを伝送信号Ｖｓに設けた信号返送期間ＷＴ中に電流モード信号（信号線ｌｓの両線路間を適当な低インピーダンスを介して短絡して送出される信号）として中央制御装置３１へ返信させる遠隔監視制御システムに用いられ、信号線ｌｓを通じて中央制御装置３１に対する電流モード信号の送信及び中央制御装置３１からの伝送信号Ｖｓの受信を行う送受信部１２と、負荷Ｌ１〜Ｌ４のマップ上の負荷に対応するように配置された個別操作部の位置を表示し、中央制御装置３１から伝送信号Ｖｓにより送られてくる負荷Ｌ１〜Ｌ４の動作状態を表示するための制御データを送受信部１２を通じて受け取った際には、マップ上に負荷Ｌ１〜Ｌ４の動作状態を表示し、個別操作部２２が操作されると、その個別操作部２２に対応するアドレスデータがアドレス記憶手段１５から読み出され、同じアドレスを有する監視用の端末器３２に接続されているスイッチＳ１〜Ｓ４が操作された場合と同様に、監視データを送受信部１２に返信用のデータとして与えて送受信部１２より中央制御装置３１へ送信させ、個別操作部２２を操作して設定したパターン制御データを、中央制御装置３１に転送する端末処理部１１とを備えた遠隔監視制御システムのマップ表示用の端末器であって、
　上記端末処理部１１には、送受信部１２で受信されて抽出された伝送信号Ｖｓに含まれるデータを取り込んで表示制御のためのデータとし、個別操作部の監視データを中央制御装置３１へ返信するために送受信部１２へ送り出す機能を備えている遠隔監視制御システムの表示操作端末器。」
　
　また、原査定の拒絶理由に引用された特開平０４−１７５９２１号（平成４年６月２３日出願公開、以下、「引用例２」という。）には、次のような記載がある。
　
イ）「まず、本発明による宅内情報盤が用いられるホームオートメーシヨン（ＨＡ）システムの例を第４図によって説明する。なお、同図において、１は宅内情報盤、２，２’はホームバス、３は住戸アダプタ、４は電話回線、５は住棟バス、６はカメラ付ドアホン、７は接続線、８は電話機インターフエース、９は電話系端末器、１０はサブコントローラ、１１はモニタ用カメラ、１２はカメラインターフエース、１３は制御対象機器、１４は制御インターフエース、１５は情報コンセント、１６はデイスプレイ装置、１７は透明タツチパネル装置、１８はスピーカ、１９はマイクロホンである。」（公報３頁左下欄３〜１５行）
　
ロ）「第５図は透明タツチパネル装置１７の面を示すものであって…透明タツチパネル装置１７は、大別して、デイスプレイ装置１６の画面部分と固定キー表示部２７の部分とに分けられる。固定キー表示部２７には、たとえば図示するように、５個の枠と夫々の枠内に絵や文字が印刷されており、透明タツチパネル装置１７のこれら枠に対応する部分が固定キーであることを、また、枠内の絵や文字が固定キーの機能を夫々示している。…宅内の各種機器の制御、状態確認などを行なう場合には、デイスプレイ装置１６の画面上にメニユーなどが表示される。この場合、透明タツチパネル装置１７でのデイスプレイ装置１６の画面に対向する部分はタイトル表示部２８と操作キー表示部２９とに区分される。」（公報５頁右上欄１７行〜右下欄４行）
　
ハ）「制御対象機器１３の制御に際しての操作に伴う表面画面の変化を第８図に示す。
　まず、メニユーキー３３を操作すると、第７図のように、メニユー画面３７が表示される。制御対象機器１３の制御のためには、機器制御キー３８ｊが操作され、これにより、部屋選択画面４０が表示される。この部屋選択画面４０では、操作キー表示部２９において、宅内の間取りの平面図に見立ててレイアウトされており、玄関、居間、台所など制御対象機器１３が設置されている場所に対しては、夫々に対応して場所を表わす文字が付された枠で表わされる機能キー４１が設定されるが、制御対象機器１３が設置されていない場所４２に対しては、ハツチングが付されて機能キーは設定されていない。
　部屋選択画面４０で区分される各場所では、制御対象機器１３が１個もしくは２個以上設置されている。各機能キー４１は、制御対象機器１３が１つでの動作状態にあるときと１つも動作状態にないときとで、表示の仕方が異なるようにし、各場所について、かかる区別が容易にできるようにしている。」（公報７頁左上欄１３行〜右上欄１４行）
　
ニ）「部屋選択画面４０で居間の機能キー４１を操作すると、この居間の機能制御画面４３が表示される。この画面４３の操作キー表示部２９では、この居間の実際の平面図を想定して、各制御対象機器１３のこの居間での配置に準じたレイアウトが表示され、各制御対象機器１３毎にこれらを絵で表わした機能キー４４ａ，４４ｂ，４４ｃが設定される。なお、これら機能キー４４ａ〜４４ｃのレイアウトは、居間の立面図に見立てて行なうようにしてもよい。
　この機器制御画面４３での、たとえば居間の照明灯に対する機能キー４４ａを操作すると、第１図において、主制御部２１はこの機能キー４４ａの操作によるキー入力制御部２４の出力を取り込み、制御信号を生成して、ＨＢＳ制御部２０、ホームバス２’などを介し、居間の照明灯に送る。これにより、この照明灯が点灯もしくは消灯する。」（公報７頁左下欄２〜１８行）
　
ホ）「第７図に示すメニユー画面では、「おはよう」機能，「パターン」機能，「音声メモ」機能のタイマ制御を設定可能となっている。…
　この「おはよう」機能を作動させるためには、たとえば「子供部屋のエアコンをＯＮ」、「居間のカーテンを開」などと予め制御を必要とする機能を指定し、夫々の機能の制御内容を設定しておく。このようにしておくと、第７図のメニユー画面３７の「おはよう」キー３８ｂを操作することにより、指定された機器が一斉に設定されたように制御される。」（公報８頁右下欄１３行〜９頁左上欄８行）
　
ヘ）「まず、タイマ設定の場合、第１２図において、メニユー画面３７の設定キー３９を操作すると、タイマ設定に必要な７個の機能キー３８ａ，３８ｂ，３８ｃ，３８ｄ，３８ｅ，３８ｆ，３８ｇからなる設定メニユー選択画面４６が表示される。これらのうちタイマキー３８ｃを操作すると、タイマ設定選択画面４７が表示される。この画面４７に表示される機能キーがタイマ設定に必要なものである。」（公報９頁左下欄１２〜２０行）
　
　これらの記載によれば、引用例２には、次の発明（以下、「引用例２記載の発明」という。）が記載されているものと認められる。
　
　「デイスプレイ装置１６に各制御対象機器１３のレイアウトとこのレイアウト上の各制御対象機器１３に対応した透明タツチパネル装置１７からなる機能キー４４ａ〜４４ｃの位置とを表示する機能制御画面４３と、デイスプレイ装置１６に設定に必要な透明タツチパネル装置１７からなる機能キーを画面上の適所に表示するタイマ設定選択画面４７とを少なくとも有するホームオートメーション（ＨＡ）システムの宅内情報盤。」
　
３．本願発明と引用例１記載の発明との比較
　
　そこで、本願発明と引用例１記載の発明とを比較する。
　
（１）引用例１記載の発明の「照明器具等の負荷Ｌ１〜Ｌ４が接続される制御用の端末器３３」、「一対の線路よりなる信号線ｌｓ」、「時分割多重信号である伝送信号Ｖｓ」、「信号返送期間ＷＴ」、「送受信部１２」、「負荷Ｌ１〜Ｌ４のマップ」は、それぞれ、本願発明の「負荷制御用端末器」、「２線の信号線」、「多重伝送信号、時分割多重伝送信号」、「返信待機期間」、「送受信信号処理手段」、「負荷のレイアウト地図」に相当していることは、技術常識から明らかである。
　また、本願発明の「スイッチ用端末器」、「操作スイッチ」、「操作データ」について、本願明細書に「壁スイッチのような操作スイッチ６の操作監視を行なうスイッチ用端末器２」（段落番号【０００２】）、「スイッチ用端末器２から接続された操作スイッチ６の操作データを返信データとして返信させるのである。」（段落番号【０００６】）と説明されており、引用例１記載の発明の「監視用の端末器３２」、「監視入力として接続された壁スイッチ等のスイッチＳ１〜Ｓ４」、「スイッチＳ１〜Ｓ４の監視データ」が、それぞれ、本願発明の「スイッチ用端末器」、「操作スイッチ」、「操作データ」に相当するものであることは明らかであり、引用例１記載の発明の「電流モード信号」は、監視用の端末器３２に対して接続されたスイッチＳ１〜Ｓ４の監視データを伝送信号Ｖｓに設けた信号返送期間ＷＴ中に中央制御装置３１へ返信させる信号であるから、本願発明の「返信信号」に相当するものであることも明らかである。
　さらに、引用例１記載の発明の個別操作部２２が操作されると、その個別操作部２２に対応するアドレスデータがアドレス記憶手段１５から読み出され、同じアドレスを有する監視用の端末器３２に接続されているスイッチＳ１〜Ｓ４が操作された場合と同様に、監視データが送信されるので、この「個別操作部２２」も本願発明の「操作スイッチ」に相当し、引用例１記載の発明の「負荷Ｌ１〜Ｌ４のマップ上の負荷に対応するように配置された個別操作部」と本願発明の「負荷のレイアウト地図上の負荷に対応したタッチスイッチからなる操作スイッチ」とは、「負荷のレイアウト地図上の負荷に対応した操作スイッチ」という点で一致し、引用例１記載の発明の中央制御装置３１は信号線ｌｓを介して接続し、中央制御装置３１から時分割多重信号である伝送信号Ｖｓを伝送して端末器をアクセスし、監視データを伝送信号Ｖｓに設けた信号返送期間ＷＴ中に中央制御装置３１へ返信させているので、引用例１記載の発明の「中央制御装置３１」と本願発明の「伝送ユニット」とは、多重伝送信号を伝送して端末器をアクセスし、操作データを多重伝送信号に設けた返信待機期間中に監視データとして伝送ユニットへ返信させる伝送ユニットという点で一致するから、本願発明と引用例１記載の発明とは、以下の点で一致ないし相違する。
　
（２）一致点
　
　　伝送ユニットと、複数のスイッチ用端末器及び負荷制御用端末器とを２線の信号線を介して接続し、伝送ユニットから多重伝送信号を伝送して端末器をアクセスし、負荷制御用端末器には対応するスイッチ用端末器に接続された操作スイッチの操作データに基づく負荷の制御データを与え、スイッチ用端末器に対しては接続された操作スイッチの操作データを多重伝送信号に設けた返信待機期間中に監視データとして伝送ユニットへ返信させる遠隔監視制御システムに用いられ、信号線を通じて伝送ユニットに対する返信信号の送信及び伝送ユニットからの多重伝送信号の受信を行う送受信信号処理手段と、負荷のレイアウト地図上の負荷に対応した操作スイッチの位置を表示し、伝送ユニットから多重伝送信号により送られてくる負荷状態を表示するための制御データを送受信信号処理手段を通じて受け取った際には、レイアウト地図上に負荷状態を表示し、負荷操作のための操作スイッチの操作データを送受信処理手段に返信用のデータとして与えて送受信処理手段より伝送ユニットへ送信させる表示操作処理手段とを備えた遠隔監視制御システムの表示操作端末器であって、
　上記表示操作処理手段には、送受信信号処理手段で受信されて抽出された時分割多重伝送信号に含まれるデータを取り込んで表示制御のためのデータとし、操作スイッチの操作データを伝送ユニットへ返信するために送受信信号処理手段へ送り出す機能を備えている点。
　
（３）相違点
　
相違点１
　表示操作処理手段が、本願発明では、ディスプレイに負荷のレイアウト地図とこのレイアウト地図上の負荷に対応したタッチスイッチからなる操作スイッチの位置とを表示する地図表示機能、ディスプレイに遠隔監視制御に対応する諸元データの設定の為の画面とこの画面上の適所に設定に必要なタッチスイッチからなる操作スイッチを画面上の適所に表示する設定画面表示機能を少なくとも有するのに対して、引用例１記載の発明では、負荷のレイアウト地図上の負荷に対応した操作スイッチの位置や、レイアウト地図上に負荷状態を表示しているが、本願発明のような地図表示機能や設定画面表示機能を有していない点。
　
相違点２
　表示操作処理手段が、本願発明では、負荷操作のための操作スイッチの操作データや諸元データの設定のための操作スイッチの操作データがあれば送受信処理手段に返信用のデータとして与えて送受信処理手段より伝送ユニットへ送信させるのに対して、引用例１記載の発明では、個別操作部２２が操作されると、送受信処理手段に返信用のデータとして与えて送受信処理手段より伝送ユニットへ送信させ、個別操作部２２を操作して設定したパターン制御データを中央制御装置３１に転送している点。
　
相違点３
　表示操作処理手段が、本願発明では、送受信信号処理手段で受信されて抽出された時分割多重伝送信号に含まれるデータを取り込んでディスプレイの表示制御のためのデータとしてデュアルポートＲＡＭに書き込む機能とデュアルポートＲＡＭに書き込まれたタッチスイッチからなる操作スイッチの操作データを読み取り、伝送ユニットへ返信するために送受信信号処理手段へ送り出す機能とを備えているのに対して、引用例１記載の発明は、送受信信号処理手段で受信されて抽出された時分割多重伝送信号に含まれるデータを取り込んで表示制御のためのデータとし、操作スイッチの操作データを伝送ユニットへ返信するために送受信信号処理手段へ送り出す機能を有しているが、時分割多重伝送信号に含まれるデータの取り込みや送り出しをデュアルポートＲＡＭを介して行っていない点。
　
４．相違点の検討
　
（１）相違点１について
　
　引用例２記載の発明の「デイスプレイ装置１６」、「各制御対象機器１３」、「レイアウト」、「透明タツチパネル装置１７」、「機能キー４４ａ〜４４ｃ」、「ホームオートメーション（ＨＡ）システム」、「宅内情報盤」が、それぞれ本願発明の「ディスプレイ」、「負荷」、「レイアウト地図」、「タッチスイッチ」、「操作スイッチ」、「遠隔監視制御システム」、「表示操作端末器」に相当していることは、技術常識から明らかである。
　また、引用例２記載の発明の「機能制御画面４３」は、ディスプレイに負荷のレイアウト地図とこのレイアウト地図上の負荷に対応したタッチスイッチからなる操作スイッチの位置とを表示しているから、引用例２記載の発明の「表示操作端末器」が本願発明の地図表示機能を有していることは明らかである。
　さらに、本願発明の「遠隔監視制御に対応する諸元データの設定の為の画面」の実施例として、本願明細書（段落番号【００２８】）には、「各負荷の個別制御の例えば週間スケジュールや、グループ制御のスケージュールの設定、変更が行えるスケジュール設定画面ル」が記載されているから、引用例２記載の発明の「タイマ設定選択画面４７」は本願発明の「遠隔監視制御に対応する諸元データの設定の為の画面」に相当し、引用例２記載の発明の「表示操作端末器」が本願発明の設定画面表示機能も有していることは明らかである。
　したがって、引用例２記載の発明の「表示操作端末器」は、ディスプレイに負荷のレイアウト地図とこのレイアウト地図上の負荷に対応したタッチスイッチからなる操作スイッチの位置とを表示する地図表示機能と、ディスプレイに遠隔監視制御に対応する諸元データの設定の為の画面とこの画面上の適所に設定に必要なタッチスイッチからなる操作スイッチを画面上の適所に表示する設定画面表示機能を有するものであるから、引用例１記載の発明の表示操作処理手段にこのような地図表示機能や設定画面表示機能を付加することは、当業者であれば容易に想到し得ることである。
　
（２）相違点２について
　
　引用例１記載の発明において、個別操作部２２を操作すればその操作に対応した操作データが必ず生じるから、引用例１記載の発明の「個別操作部２２を操作すると」と、本願発明の「操作データがあれば」との差は、表現上の差にすぎない。
　また、本願発明の「諸元データの設定のための操作スイッチの操作データ」の実施例として、本願明細書（段落番号【００２７】〜【００２９】）には、「パターン制御のためのパターン設定用の画面ヘでの設定に対応したデータ」が記載されているから、引用例１記載の発明の「個別操作部２２を操作して設定したパターン制御データ」も本願発明の「諸元データの設定のための操作スイッチの操作データ」に相当していることは明らかであり、この「パターン制御データ」も「負荷操作のための操作スイッチの操作データ」も、表示操作端末器から伝送ユニットに転送されるものであるから、引用例１記載の発明において、この「パターン制御データ」を、負荷操作のための操作スイッチの操作データと同様に、そのデータがあれば返信用のデータとして、伝送ユニットへ送信させることも、当業者が適宜なし得る設計事項にすぎない。
　
（３）相違点３について
　特開平０３−０１９４９９号公報（３頁右上欄１８〜１９行の「送受信バッファメモリ１２、１３とは例えばデュアルポートＲＡＭによって構成される。」参照）、特開平０４−３２８９３６号公報（図１４の「通信用ＩＣ１００のＤＰＲＡＭ１０２」参照）等により、伝送信号に含まれるデータの取り込みや送り出しをデュアルポートＲＡＭを介して行うことは周知であるから、引用例１記載の発明の表示操作端末器の多重伝送信号に含まれるデータの取り込みや操作データの送り出しを、デュアルポートＲＡＭを介して行うことは、当業者が適宜なし得る設計事項にすぎない。
　
５．むすび
　
　したがって、本願発明は、引用例１、２記載の発明及び上記周知技術に基づいて当業者が容易に発明をすることができたものと認められるから特許法第２９条第２項の規定によって特許を受けることができない。